(57)【要約】【課題】書籍および枕が有する機能性問題の欠如に関して、多機能の枕状書籍を提供すること。【解決手段】上部枕と、下部枕と、書籍とを備える枕状書籍が、前記上部枕が、上部枕覆いと、該枕覆いが覆う上部枕本体とを有し、前記下部枕が、下部枕覆いと、該枕覆いが覆う下部枕本体とを有し、前記上部枕の１つの縁部が前記下部枕の１つの縁部に取り付けられ、前記上部枕の他の縁部が前記下部枕の他の縁部に取り付けられるが着脱可能であり、前記書籍が前記上部枕と下部枕の間に配置され、その上表紙および裏表紙が、前記上部枕および下部枕に固定され、または前記上部枕および下部枕にそれぞれ取り付けられることからなる。【選択図】図１
0003147062.tif 000002
【実用新案登録請求の範囲】
【請求項１】
上部枕と、下部枕と、書籍（９）とを備える枕状書籍であって、前記上部枕が、上部枕覆い（１）と、該枕覆い（１）が覆う上部枕本体（３）とを有し、前記下部枕が、下部枕覆い（２）と、該枕覆い（２）が覆う下部枕本体（４）とを有し、前記上部枕の１つの縁部が前記下部枕の１つの縁部に取り付けられ、前記上部枕の他の縁部が前記下部枕の他の縁部に取り付けられるが着脱可能であり、前記書籍（９）が前記上部枕と下部枕の間に配置され、その上表紙および裏表紙が、前記上部枕および下部枕に固定され、または前記上部枕および下部枕にそれぞれ取り付けられることを特徴とする枕状書籍。
【請求項２】
前記上部枕の１つの縁部、前記書籍の縁部、および前記下部枕の１つの縁部が、重ねられ、ともに取り付けられることを特徴とする請求項１に記載の枕状書籍。
【請求項３】
前記書籍（９）が、書籍、写真用アルバム、絵画用アルバム、または切手収集用アルバムであってよいことを特徴とする請求項１に記載の枕状書籍。
【請求項４】
前記上部枕および下部枕が、前記書籍（９）の上表紙および裏表紙をそれぞれ保持するために互いに面するそれら側面の上にそれぞれホルダ（７、８）を有することを特徴とする請求項１に記載の枕状書籍。
【請求項５】
前記書籍（９）の上表紙がハード・カバーまたは紙表紙のいずれかであってよく、前記ホルダ（７）が前記上表紙のためのホルダであり、前記書籍（９）の裏表紙がハード・カバーまたは紙表紙のいずれかであってよく、前記ホルダ（８）が前記裏表紙のためのホルダであることを特徴とする請求項４に記載の枕状書籍。
【請求項６】
前記上部枕覆いおよび下部枕覆いが、取り付けられるが、ジッパー、ボタンまたはスナップ・ボタンによって着脱可能であることを特徴とする請求項１から５に記載のいずれかに記載の枕状書籍。
【請求項７】
目覚まし時計が、前記上部枕および／または下部枕の中に取り付けることができることを特徴とする請求項１に記載の枕状書籍。
【請求項８】
音響装置が、前記上部枕および／または下部枕の中に取り付けることができることを特徴とする請求項１に記載の枕状書籍。
【請求項９】
電池が、前記音響装置に電気を供給するために前記上部枕および／または下部枕の中に取り付けられることができ、あるいは前記音響装置に接続された外部電源出力があってもよいことを特徴とする請求項８に記載の枕状書籍。
【請求項１０】
前記上部枕および下部枕の形状が正方形または長方形であってよいことを特徴とする請求項１に記載の枕状書籍。
【考案の詳細な説明】
【技術分野】
【０００１】
本考案は娯楽用具に関する。正確には、本考案は枕状書籍に関する。
【背景技術】
【０００２】
書籍、写真用アルバム、絵画用アルバムまたは切手収集用アルバムなど従来の標準の書籍は、すべて上表紙と、裏表紙と、内側のページを有する。その装飾は、上表紙および裏表紙にほとんど焦点が合わせられる。同時に、従来の書籍の機能性は、極めて単純で、通常、追加的な機能性を有さない。その一方で、従来の枕は、通常、枕本体と、本体を覆う覆いとから成る。枕本体だけが覆いの内側にあり、他の構成部品はない。それは単一のクッション機能を有するだけである。
【考案の開示】
【考案が解決しようとする課題】
【０００３】
現在の書籍および枕が有する機能性問題の欠如に関して、本考案は多機能の枕状書籍を提供する。
【課題を解決するための手段】
【０００４】
本考案の枕状書籍は、上部枕と、下部枕と、書籍とを備える。前記上部枕は、上部枕覆いと、上部枕覆いが覆う上部枕本体とを有する。前記下部枕は、下部枕覆いと、下部枕覆いが覆う下部枕本体とを有する。前記上部枕の１つの縁部は、前記下部枕の１つの縁部に取り付けられる。前記上部枕の他の縁部は、前記下部枕の他の縁部に取り付けられるが、着脱可能である。前記書籍は前記上部枕と下部枕の間に配置される。その上表紙および裏表紙は、前記上部枕および下部枕に固定され、または上部枕および下部枕にそれぞれ取り付けられる。
【０００５】
本考案では、前記上部枕の１つの縁部、書籍の縁部、および前記下部枕の１つの縁部が、重ねられ、ともに取り付けられる。
【０００６】
本考案では、前記書籍は、書籍、写真用アルバム、絵画用アルバム、または切手収集用アルバムであってよい。
【０００７】
本考案では、前記上部枕および下部枕は、前記書籍の上表紙および裏表紙をそれぞれ保持するために互いに面するそれら側面の上にそれぞれホルダを有する。
【０００８】
本考案では、前記書籍の上表紙は、ハード・カバーまたは紙表紙のいずれかであってよい。前記ホルダは、前記上表紙のためのホルダである。前記書籍の裏表紙は、ハード・カバーまたは紙表紙のいずれかであってよい。前記ホルダは前記裏表紙のためのホルダである。
【０００９】
本考案では、前記上部枕覆いおよび下部枕覆いは、取り付けられるがジッパー、ボタンまたはスナップ・ボタンによって着脱可能である。
【００１０】
本考案では、目覚まし時計が前記上部枕および／または下部枕の中に取り付けることができる。
【００１１】
本考案では、音響装置が、前記上部枕および／または下部枕の中に取り付けることができる。
【００１２】
本考案では、電池が、前記音響装置に電気を供給するために前記上部枕および／または下部枕の中に取り付けられることができ、あるいは前記音響装置に接続された外部電源出力があってよい。
【００１３】
本考案では、前記上部枕および下部枕の形状が正方形または長方形であってよい。
【００１４】
現在の技術と比較して、本考案の枕状書籍は、上部枕と、下部枕と、上部枕および下部枕間の書籍とを備える。上部枕の縁部の一部および下部枕の縁部の一部は、ともに取り付けられ、着脱可能である。したがって、（書籍、写真用アルバム、絵画用アルバムおよび切手収集用アルバムなど）内側の書籍を読むために枕を開くことが容易である。その一方で、目覚まし時計および音響装置が、すべて枕の中に配置することができ、したがって、枕状書籍の機能性および楽しさを増大させる。さらに、この枕状書籍が枕として用いられるとき、枕本体の２つの層および内側に書籍があるので、枕は形状を変えることがより難しい。したがって、利用者の睡眠の質および健康は、両方とも改善される。
【考案を実施するための最良の形態】
【００１５】
本考案は以下の説明および添付の図面を参照することにより、より完全に理解することができる。
【実施例１】
【００１６】
図１は本考案の実施例１の一方の側面を示す。図２は本考案の実施例１の他方の側面を示す。図３は本考案の実施例１が開いているときを示す。図４は本考案の実施例１が閉じているときを示す。
【００１７】
図１および図２が示すように、この枕状書籍は、上部枕と、下部枕と、書籍９とを備える。上部枕は、上部枕覆い１と、上部枕本体３とを有する。上部枕覆い１は上部枕本体３を覆う。下部枕は、下部枕覆い２と、下部枕本体４とを有する。下部枕覆い２は下部枕本体４を覆う。上部枕の１つの縁部が、下部枕の１つの縁部に重ねられ、取り付けられ、着脱不能であることが好ましい。上部枕５の他の縁部および下部枕６の他の縁部が取り付けることができるばかりでなく、着脱可能である。書籍９は前記上部枕と下部枕の間に配置される。その縁部は上部枕および下部枕の縁部に隣接し、これら縁部は重ねられ、ともに取り付けられる。その上表紙および裏表紙は、上部枕および下部枕にそれぞれ取り付けられる。
【００１８】
書籍９を保持し、書籍を変えることを容易にするためには、互いに面するこれらの側面で、上部枕および下部枕は、書籍９の上表紙を保持するホルダ７と、書籍９の裏表紙を保持するホルダ８とを有することができる。例えば、上部枕覆い１の内側には、書籍９の上表紙を保持するために用いられるホルダ７があり、下部枕覆い１の内側には、書籍９の裏表紙を保持するために用いられるホルダ８がある。
【００１９】
書籍９の上表紙および裏表紙は、ホルダ７および８がこれらを保持できるように十分に硬質であることが推奨される。書籍９は、標準の書籍、ノートブック、美しい絵画を有する絵画用アルバム、利用者の写真を有する写真用アルバム、または供給業者の製品情報を有するイエロー・ページである。
【００２０】
ホルダ７および８は開いた長方形の袋であってよい。この開口部は、書籍９の上表紙および裏表紙を容易にはめ込むことができるように書籍９のサイズよりわずかに大きい。このホルダを用いることの利点は書籍９への変更の容易さである。
【００２１】
この実施例では、上部枕と下部枕の間の着脱可能な取付けはジッパーである。図１は、上部枕および下部枕がともにひっくり返されるが、ジッパーはまだ締められていないことを示す。この時点では、ジッパーのジッパー・ベース１０は、図２で示すように着脱可能な縁部の１つの端部にある。ジッパーは、安く、使用が容易で、よく密封する。しかし、ジッパーを置き換えるためにボタンまたはスナップ・ボタンを用いることがまた可能である。これらはまた低価格で使用が容易である。
【００２２】
書籍９を読むときは、上部枕覆い１と下部枕覆い２の間に取り付けられた縁部を単にはずす。次いで、図３に示すように、上部枕覆い１または下部枕覆い２をひっくり返す。
【００２３】
枕を用いるときは、上部枕覆い１または下部枕覆い２をひっくり返し、ジッパーを締めるかまたはボタンをはめる。図４はこの実施例が閉じられ締められているときを示す。使用によっては、枕は、正方形、長方形、ハート形または扇形であってよい。
【００２４】
本考案の枕状書籍が２つの枕本体、上部枕本体および下部枕本体を有するので、硬質の上表紙および裏表紙を有する書籍９は枕状書籍の内側に配置されることができ、枕は形状を変えることがより難しい。したがって、利用者の睡眠の質および健康は両方とも改善される。
【実施例２】
【００２５】
実施例２は、実施例１に極めて類似している。これはまた、上部枕と、下部枕と、上部枕と下部枕の間にある書籍９とを備える。上部枕は上部枕覆い１と、上部枕本体３とを有する。上部枕覆い１は上部枕本体３を覆う。下部枕は、下部枕覆い２と、下部枕本体４とを有する。下部枕覆い２は下部枕本体４を覆う。これらの違いは、上部枕の１つの縁部、書籍９の側縁部、および下部枕の１つの縁部がともに固定され着脱不能になっていることである。もちろん、上部枕５の他の縁部および下部枕６の他の縁部はなお着脱可能である。
【００２６】
この実施例では、書籍９の側縁部は上部枕および下部枕に固定され、したがってより安定している。
【００２７】
書籍９を読むときは、上部枕覆い１と下部枕覆い２の間に取り付けられた縁部を単にはずす。次いで、上部枕覆い１または下部枕覆い２をひっくり返し広げる。図５は、本実施例が開いているときを示す。この実施例では、書籍９は写真用アルバムである。これは、利用者が絵画または写真を挿入することができるように柔い透明なプラスチック製写真ホルダを含む。絵画用アルバムまたは雑誌を用いることもまた可能である。
【００２８】
同様に、上部枕と下部枕の間の着脱可能な取付けは、ジッパー、ボタン、スナップ・ボタン、または任意の同等物であってよい。
【００２９】
本実施例の改善として、要求された時間に利用者を起こすようにこの枕状書籍の上部枕／下部枕の内側に目覚まし時計を配置することが可能である。
【００３０】
本実施例の別の改善として、この枕状書籍の上部枕／下部枕の内側に音響装置（ミュージック・プレーヤまたはミニスピーカなど）を配置することがまた可能である。その一方で、電池が前記音響装置に電気を供給するために上部枕／下部枕の内側に配置されることができる。外部電源出力がまた、上部枕／下部枕の中に設置され、前記音響装置に接続されてよい。
【００３１】
上述の実施例は、本考案の保護範囲を制限するために使用するものではない。本考案の原則および考えの中のいかなる修正、置換または改善も、本考案の請求の範囲の中で対象とされるべきものである。
【図面の簡単な説明】
【００３２】
【図１】本考案の実施例１の一方の側面図である。
【図２】本考案の実施例１の他方の側面図である。
【図３】本考案の実施例１が開いているときの図である。
【図４】本考案の実施例１が閉じているときの図である。
【図５】本考案の実施例２が開いているときの図である。
【符号の説明】
【００３３】
１  上部枕覆い
２  下部枕覆い
３  上部枕本体
４  下部枕本体
５  上部枕
６  下部枕
７  ホルダ
８  ホルダ
９  書籍
１０  ジッパー・ベース
【図１】
0003147062.tif 000003
【図２】
0003147062.tif 000004
【図３】
0003147062.tif 000005
【図４】
0003147062.tif 000006
【図５】
0003147062.tif 000007